(57)【要約】【課題】レンズ鏡筒を小型化できると共に、精度の高い繰り出し機構を提供すること。【解決手段】沈胴状態から撮影状態に繰り出し可能な光学機器であって、開口部を開閉可能な羽根部材を保持し、光軸方向に移動可能な第１の筒部材と、撮影位置と、撮影光軸から外れた退避位置との間を移動可能な退避レンズ保持部材を保持し、前記光軸方向に移動可能な第２の筒部材と、前記光学機器の繰り出し位置を検出可能な位置検出部材と、を有し、前記羽根部材の開閉動作、前記退避レンズ保持部材の移動および前記位置検出部材による前記光学機器の繰り出し位置の検出は、互いに異なる期間に行われる。【選択図】図１６
2015141362.tif 000002
【特許請求の範囲】
【請求項１】
沈胴状態から撮影状態に繰り出し可能な光学機器であって、
開口部を開閉可能な羽根部材を保持し、光軸方向に移動可能な第１の筒部材と、
撮影位置と、撮影光軸から外れた退避位置との間を移動可能な退避レンズ保持部材を保持し、前記光軸方向に移動可能な第２の筒部材と、
前記光学機器の繰り出し位置を検出可能な位置検出部材と、を有し、
前記羽根部材の開閉動作、前記退避レンズ保持部材の移動および前記位置検出部材による前記光学機器の繰り出し位置の検出は、互いに異なる期間に行われることを特徴とする光学機器。
【請求項２】
光軸と平行に形成された退避保持部を備えた第３の筒部材と、を有し、
前記羽根部材が開閉動作を行っているときに、前記第２の筒部材に形成された当接部が前記退避保持部を摺動することで前記第２の筒部材が前記光軸方向において前記第３の筒部材に対して相対的に移動することを特徴とする請求項１に記載の光学機器。
【請求項３】
光軸と平行に形成された閉鎖保持部を備えた第４の筒部材を有し、
前記退避レンズ保持部材が移動しているときに、前記第１の筒部材に形成された駆動部が前記閉鎖保持部を摺動することで前記第１の筒部材が前記光軸方向において前記第４の筒部材に対して相対的に移動することを特徴とする請求項１に記載の光学機器。
【請求項４】
前記羽根部材の開閉動作、前記退避レンズ保持部材の移動および前記位置検出部材による前記光学機器の繰り出し位置の検出は、前記沈胴状態と前記撮影状態との間に行われることを特徴とする請求項１から３のいずれか１項に記載の光学機器。
【発明の詳細な説明】
【技術分野】
【０００１】
本発明は、レンズバリア機構と退避レンズ機構を有する光学機器に関する。
【背景技術】
【０００２】
従来、レンズ鏡筒を小型化するために、レンズユニットの一部をスライドレンズとし、沈胴時にこのスライドレンズを光軸から退避させることにより、レンズ鏡筒の沈胴厚を薄くするようにしたものが知られている。
【０００３】
例えば、特許文献１では、第３レンズ群がカムフォロワ機構によって光軸方向に進退移動する地板と、レンズを保持するレンズホルダーで構成され、レンズホルダーは地板に対して揺動可能に軸支されている。レンズホルダーは付勢部材によって光軸中心に向けて回転付勢され、地板に形成された当接部に当接してレンズを光軸上に保つ。沈胴時に、第３レンズ群のレンズホルダーに形成されたカム面がセンサホルダから突出するツノ部と当接して、付勢部材の付勢力に抗する方向に回転し、光軸から退避する。この付勢力はレンズ鏡筒全体から見ると繰り出し方向の力となる。
【０００４】
また、最も被写体側に配置されるレンズを非撮影時に保護するためのレンズバリア機構を有するレンズ鏡筒が知られている。レンズバリア機構は、レンズ鏡筒の沈胴時に複数のバリア羽根により光入射開口を覆う閉鎖位置と、撮影時に光入射開口を開放する開放位置との間を移動自在に構成される。複数のバリア羽根はバリア駆動リングにより従動回転する機構となっており、バリア駆動リングとバリア羽根に架けられる付勢部材により、バリア羽根には開放方向の付勢力が加えられる。撮影状態から沈胴状態へと移行する過程で、筒部材によりバリア駆動リングが付勢部材の付勢力に抗する方向に回転し、バリア羽根が開放位置から閉鎖位置へと移動する。このバリアの付勢力も上述のレンズ退避機構と同じでレンズ鏡筒全体から見ると繰り出し方向の力となる。
【０００５】
また、レンズ鏡筒の沈胴状態から撮影状態への移行の際には、ズームモータがギア列を介してレンズを保持する複数の筒部材を駆動する。移行の過程で筒部材の回転位置をセンサで検出し、メカリセットを行った後、所定の量だけさらに筒部材を駆動することで、各レンズを撮影位置へと駆動する。
【先行技術文献】
【特許文献】
【０００６】
【特許文献１】特開２０１１−５９３３１号公報
【発明の概要】
【発明が解決しようとする課題】
【０００７】
しかしながら、特許文献１に開示された従来技術では、バリア機構および沈胴状態から撮影状態に移行する際のメカリセット動作に関する記述がない。レンズバリア機構と退避レンズ機構を有するレンズ鏡筒では、沈胴状態から撮影状態への移行の際にレンズバリア機構の付勢部材と退避レンズ機構の付勢部材の付勢力が開放される。したがって、メカリセットの際に付勢部材の付勢力の開放が行われると、付勢力により筒部材がギア列のバックラッシュなどの隙間分だけ回転してしまい、鏡筒は繰り出し方向の力を受けるので、ズームモータの回転量に先行して鏡筒が繰り出される。その結果、設定されるメカリセットの位置とは異なる位置でメカリセットが実行される恐れがある。そのため、精度の高い繰り出し機構が実現できない可能性がある。
【０００８】
また、繰り込み時にレンズバリア機構と退避レンズ機構の付勢力に抗する力を発生させる必要があるため、両者のタイミングが重なると、より出力の高いモータを採用しなければならない可能性があり、レンズ鏡筒が大型化する恐れがある。
【０００９】
このような課題を鑑みて、本発明は、レンズ鏡筒を小型化できるとともに、精度の高い繰り出し機構を備えた光学機器を提供することを目的とする。
【課題を解決するための手段】
【００１０】
本発明の一側面としての光学機器は、沈胴状態から撮影状態に繰り出し可能な光学機器であって、開口部を開閉可能な羽根部材を保持し、光軸方向に移動可能な第１の筒部材と、撮影位置と、撮影光軸から外れた退避位置との間を移動可能な退避レンズ保持部材を保持し、前記光軸方向に移動可能な第２の筒部材と、前記光学機器の繰り出し位置を検出可能な位置検出部材と、を有し、前記羽根部材の開閉動作、前記退避レンズ保持部材の移動および前記位置検出部材による前記光学機器の繰り出し位置の検出は、互いに異なる期間に行われることを特徴とする。
【発明の効果】
【００１１】
そこで、本発明の目的は、レンズ鏡筒を小型化できるとともに、精度の高い繰り出し機構を備えた光学機器を提供することができる。
【図面の簡単な説明】
【００１２】
【図１】本発明の実施形態に係るレンズ鏡筒の分解斜視図である。
【図２】第１レンズ群の分解斜視図である。
【図３】バリア羽根およびバリアカバーを像面側から見た図である。
【図４】第１レンズ枠、第１のバリア羽根、バリア駆動リングを被写体側から見た図である。
【図５】実施例１のバリア駆動リングとインナーカムリングの配置図である。
【図６】第３レンズ群の分解斜視図である。
【図７】第４レンズ群の分解斜視図である。
【図８】第４レンズベースとアウターカムリングの配置図である。
【図９】第４レンズ群の斜視図である。
【図１０】第５レンズ群の斜視図である。
【図１１】第５レンズベースとドライブリングの配置図である。
【図１２】ドライブリングと位置検出センサの配置図である。
【図１３】レンズ鏡筒のズーム機構を示す図である。
【図１４】沈胴状態のレンズ鏡筒の鏡筒断面図である。
【図１５】撮影状態のレンズ鏡筒の鏡筒断面図である。
【図１６】実施例１の駆動タイミングを示す図である。
【図１７】第４レンズ群の退避動作を示す図である。
【図１８】実施例２のバリア駆動リングとインナー直進筒の配置図である。
【図１９】実施例２の駆動タイミングを示す図である。
【発明を実施するための形態】
【００１３】
以下、本発明の実施例について、図面を参照しながら詳細に説明する。各図において、同一の部材については同一の参照番号を付し、重複する説明は省略する。
【００１４】
本発明を実施した光学機器の一例としてのレンズ鏡筒について説明する。本実施形態のレンズ鏡筒は、デジタルカメラ等の撮像装置本体に対して着脱可能に取り付けられることでカメラシステムとして機能する。なお、本実施形態のレンズ鏡筒を備えたカメラシステムもまた本発明の光学機器に相当する。
【実施例１】
【００１５】
図１は、本発明の実施形態に係るレンズ鏡筒の分解斜視図である。図２は、第１レンズ群１００の分解斜視図である。
【００１６】
第１レンズ群１００は、第１レンズ１０１、第１レンズ１０１を保持する円筒状の第１レンズ枠（第１の筒部材）１０２を有する。
【００１７】
第１レンズ枠１０２の内周面には、放射方向内側に突出するカムピン１０２ａが形成されている。カムピン１０２ａは後述するインナーカムリング６００の外周に形成される１群カム溝６００ａに嵌り、インナーカムリング６００が駆動すると、第１レンズ群１００は光軸方向に駆動する。また、第１レンズ枠１０２の内周面には、第１レンズ群１００を回転規制するキー溝（不図示）が形成されている。また、第１レンズ枠１０２には、フォロアアーム１０３ａが貫通する円弧孔１０２ｂ（図４参照）、穴１０２ｃ、１０２ｄおよび軸１０２ｅ、１０２ｆが形成される。
【００１８】
また、第１レンズ群１００は、バリア駆動リング１０３、第１のバリア羽根１０４Ａ、１０４Ｂ、第２のバリア羽根１０５Ａ、１０５Ｂ、第３のバリア羽根１０６Ａ、１０６Ｂおよび付勢部材１０７Ａ、１０７Ｂを有する。なお、第１〜第３のバリア羽根（羽根部材）および付勢部材は、それぞれ、第１レンズ１０１の光軸を中心に点対称に一対が配置され、形状はそれぞれ同一であるので、「Ａ、Ｂ」の符号を省略して説明する。
【００１９】
バリア駆動リング１０３は、第１レンズ枠１０２に回転可能に保持される。バリア駆動リング１０３には光軸方向の像面側に延出するフォロアアーム（駆動部）１０３ａが形成されており、フォロアアーム１０３ａがインナーカムリング６００に形成された作動壁６００ｅと接触することで、バリア駆動リング１０３が回転する。
【００２０】
バリアカバー１０８は、第１レンズ枠１０２に固定される。また、バリアカバー１０８には、第１レンズ１０１を介して撮像素子に入射する光束を遮らないように開けられた光入射開口（開口部）１０８ａが形成されている。第１〜第３のバリア羽根１０４〜１０６は、光入射開口１０８ａを塞ぐ閉鎖状態と光入射開口１０８ａを開放する開放状態との間で移動することで光入射開口１０８ａの開閉動作を可能としている。
【００２１】
次に、図３、４を参照して、バリア羽根の開閉機構について説明する。図３は、バリア羽根１０４〜１０６およびバリアカバー１０８を像面側から見た図である。図４は、第１レンズ枠１０２、第１のバリア羽根１０４、バリア駆動リング１０３を被写体側から見た図である。
【００２２】
図３に示されるように、第１のバリア羽根１０４の各軸１０４ａは、第１レンズ枠１０２に形成された穴１０２ｃ、１０２ｄに挿入されて軸支される。これにより、第１のバリア羽根１０４は、各軸１０４ａを中心に光入射開口１０８を開閉可能に回転移動する。
【００２３】
図４に示されるように、第１のバリア羽根１０４の各軸１０４ｂは、第２のバリア羽根１０５に形成された穴部（不図示）を挿通する。これにより、第２のバリア羽根１０５は、各軸１０４ｂを中心に光入射開口１０８を開閉可能に回転移動する。なお、バリア羽根１０４の軸１０４ａと軸１０４ｂは、同軸で形成されている。
【００２４】
第１レンズ枠１０２の軸１０２ｅ、１０２ｆは、第３のバリア羽根１０６の各穴１０６ａを挿通する。これにより、第３のバリア羽根１０６が、軸１０２ｅ、１０２ｆを中心に光入射開口１０８を開閉可能に回転移動する。
【００２５】
図３に示されるように、第１のバリア羽根１０４には、軸１０４ａの近傍において、突起部１０４ｃと突起部１０４ｃに連接してバネ掛け部１０４ｄが形成されている。また、第１のバリア羽根１０４には、長孔１０４ｅが形成されている。長孔１０４ｅの内壁のうち、光入射開口１０８ａの閉鎖方向の壁部が第１の壁部１０４ｅ１、光入射開口１０８ａの開放方向の壁部が第２の壁部１０４ｅ２である。
【００２６】
第２のバリア羽根１０５はフック型に構成される規制部１０５ａを有し、第１のバリア羽根１０４が回転移動すると、第２のバリア羽根１０５の規制部１０５ａが第１および第２の壁部１０４ｅ１、１０４ｅ２により当接駆動される。これによって、第２のバリア羽根１０５が第１のバリア羽根１０４に対して、開閉方向に従動可能となる。また、第２のバリア羽根１０５には、第３のバリア羽根１０６を開閉方向に従動可能とさせるための切欠き部１０５ｂ、押圧部１０５ｃが形成されている。
【００２７】
第３のバリア羽根１０６の穴１０６ａから最も遠い部分には、コ字状フック部１０６ｃが形成されている。コ字状フック部１０６ｃは、光入射開口１０８ａを遮蔽する平面部から像面側に９０度折り曲げ、さらに内側に数十度折り曲げてなる概略コの字形状となっている。
【００２８】
第２のバリア羽根１０５の押圧部１０５ｃ、切欠き部１０５ｂが、それぞれ第３のバリア羽根１０６の折り曲げ部１０６ｂ、コ字状フック部１０６ｃを当接駆動することで、第３のバリア羽根１０６が、第２のバリア羽根１０５に対して、開閉方向に従動可能となる。
【００２９】
図４に示されるように、バリア駆動リング１０３の外周部には、バネ等で形成された付勢部材１０７を掛けるための軸１０３ｃ、１０３ｄと、第１のバリア羽根１０４を駆動するための当接部１０３ｅ、１０３ｆが形成されている。付勢部材１０７は、バネ掛け部１０４ｄと軸１０３ｃ、１０３ｄとに、常時、引っ張り状態で架け渡されている。
【００３０】
バネ掛け部１０４ｄの位置は軸１０４ｂよりも光軸中心に近いため、付勢部材１０７の付勢力によって、バリア駆動リング１０３は図４の反時計回りの方向に付勢される。
【００３１】
第１のバリア羽根１０４が閉位置にあるとき、バリア駆動リング１０３は、図４の反時計回りの回転が規制されている。その規制が解除されると、バリア駆動リング１０３は反時計回りの回転を行い、当接部１０３ｅ、１０３ｆが第１のバリア羽根１０４の突起部１０４ｃを駆動する。
【００３２】
第１のバリア羽根１０４は、バリア駆動リング１０３の更なる回転に伴って、軸１０４ａを中心に開放方向に回転駆動される。しかしながら、第１のバリア羽根１０４の当接部１０４ｆが第１レンズ枠１０２に形成されたストッパ１０２ｇ、１０２ｈに当接することで、第１のバリア羽根１０４は回転を停止する。
【００３３】
次に、図５を参照してフォロアアーム１０３ａとインナーカムリング６００の関係について説明する。図５は、バリア駆動リング１０３とインナーカムリング６００の配置図である。
【００３４】
図５（ａ）に示される撮影状態（バリア羽根の開放状態）において、バリア駆動リング１０３のフォロアアーム１０３ａとインナーカムリング６００は光軸方向で所定の間隔を有している。
【００３５】
撮影状態から沈胴状態に移行する過程でインナーカムリング６００は、図５のＡ方向に回転する。また、第１レンズ群１００とインナーカムリング６００の光軸方向の距離が縮まることで、第１レンズ群１００に保持されているバリア駆動リング１０３のフォロアアーム１０３ａとインナーカムリング６００の光軸方向の距離が縮まる。その結果、インナーカムリング６００の作動壁６００ｅとバリア駆動リング１０３のフォロアアーム１０３ａが当接する。インナーカムリング６００の更なる回転により、バリア駆動リング１０３が付勢部材１０７の付勢力に抗して強制的にＡ方向に回転され、図５（ｂ）に示される沈胴状態（バリア羽根の閉鎖状態）となる。
【００３６】
一方、沈胴状態から撮影状態に移行する過程では、インナーカムリング６００がＢ方向に回転すると、付勢部材１０７の付勢力にしたがい、バリア駆動リング１０３もＢ方向に回転する。付勢部材１０７の付勢力は鏡筒の繰り出し方向に作用する。また、第１レンズ群１００とインナーカムリング６００の光軸方向の距離が離れることで、フォロアアーム１０３ａが作動壁６００ｅから離れる。その後、第１のバリア羽根１０４の当接部１０４ｆがストッパ１０２ｇ、１０２ｈに当接することで、バリア駆動リング１０３は回転を停止する。
【００３７】
次に、第１のバリア羽根１０４の回転移動に従動する第２のバリア羽根１０５、第３のバリア羽根１０６の回転移動の仕組みについて説明する。
【００３８】
第１のバリア羽根１０４は、図３（ａ）に示される閉鎖状態から図３の反時計回りの方向の回転を開始する。回転初期では、第２のバリア羽根１０５および第３のバリア羽根１０６は、その位置を保っている。しばらくすると、第１のバリア羽根１０４の長孔１０４ｅの第１の壁部１０４ｅ１が、第２のバリア羽根１０５の規制部１０５ａと当接する。この時点からさらに第１のバリア羽根１０４が開放方向に回転すると、第１の壁部１０４ｅ１が規制部１０５ａを駆動することにより、第２のバリア羽根１０５も一緒に開放方向に回転する。
【００３９】
第１のバリア羽根１０４および第２のバリア羽根１０５がさらに開放方向に回転を続けると、第２のバリア羽根１０５の押圧部１０５ｃが第３のバリア羽根１０６の折り曲げ部１０６ｂと当接する。この時点からさらに第１のバリア羽根１０４および第２のバリア羽根１０５が開放方向に回転すると、押圧部１０５ｃが折り曲げ部１０６ｂを駆動することにより、第３のバリア羽根１０６も一緒に開放方向に回転する。
【００４０】
第１〜第３のバリア羽根１０４〜１０６のすべてが開放方向に回転移動し、第１のバリア羽根１０４の当接部１０４ｆが第１レンズ枠１０２のストッパ１０２ｇ、１０２ｈに当接して回転を停止する。このとき、従動する第２のバリア羽根１０５および第３のバリア羽根１０６もその回転を停止する。
【００４１】
この状態が図３（ｂ）および図４（ｂ）に示す状態であり、バリア駆動リング１０３の回転も停止し、安定してこの状態が保たれる。このようにして、バリア羽根の開放状態となる。
【００４２】
一方、第１〜第３のバリア羽根１０４〜１０６の開放状態からから閉鎖状態への移行の際には、以下の動作となる。まず、第１のバリア羽根１０４は、図３（ｂ）、図４（ｂ）に示される開放状態から、図３の時計回りの方向の回転を始める。回転初期では、第２のバリア羽根１０５および第３のバリア羽根１０６は、その位置を保っている。しばらくすると、第１のバリア羽根１０４の長孔１０４ｅの第２の壁部１０４ｅ２が、第２のバリア羽根１０５の規制部１０５ａと当接する。この時点からさらに第１のバリア羽根１０４が閉鎖方向に回転すると、第２の壁部１０４ｅ２が規制部１０５ａを駆動することにより、第２のバリア羽根１０５も一緒に閉鎖方向に回転させられる。
【００４３】
第１のバリア羽根１０４および第２のバリア羽根１０５がさらに閉鎖方向に回転を続けると、やがて第２のバリア羽根１０５の切欠き部１０５ｂが、第３のバリア羽根１０６のフック部１０６ｃと当接する。この時点からさらに第１のバリア羽根１０４及び第２のバリア羽根１０５が閉鎖方向に回転すると、切欠き部１０５ｂがフック部１０６ｃを駆動することにより、第３のバリア羽根１０６も一緒に閉鎖方向に回転する。
【００４４】
第１〜第３のバリア羽根１０４〜１０６のすべてが閉鎖方向に回転移動し、第１のバリア羽根１０４の各合わせ面１０４ｇ同士が当接することで、その回転が停止する。このとき、従動する第２のバリア羽根１０５および第３のバリア羽根１０６もその回転を停止する。なお、前述したように、バリア駆動リング１０３の回転はバリア羽根１０４の回転停止位置から更に回転した位置で停止される。以上により、図３（ａ）に示される第１〜第３のバリア羽根１０４〜１０６が閉鎖状態となる。
【００４５】
第２レンズ群２００は、第２レンズ２０１と、第２レンズ２０１を保持する円筒状の第２レンズ枠２０２を有する。第２レンズ枠２０２の外周面には、径方向外側に突出するとともに、外周方向において等角度の間隔で形成されたカムピン２０２ａと、第２レンズ群２００を回転規制する直進キー２０２ｂが形成されている。
【００４６】
図６を参照して、第３レンズ群３００について説明を行う。図６は、第３レンズ群３００の分解斜視図である。第３レンズ群３００は、被写体側の第３レンズａ群３０１ａ、結像面側の第３レンズｂ群３０１ｂ、第３レンズ枠３０２、第３レンズベース３０３、３群カバー３０４および絞りシャッター装置３０５を有する。
【００４７】
第３レンズ枠３０２は、第３レンズａ群３０１ａを保持する第３レンズａ群枠３０２ａと第３レンズｂ群３０１ｂを保持する第３レンズｂ群枠３０２ｂを備えている。第３レンズａ群枠３０２ａと第３レンズｂ群枠３０２ｂは、絞りシャッター装置３０５の外側で互いに接着固定されている。また、第３レンズａ群枠３０２ａは、ＩＳマグネット３１０を保持している。ＩＳばね３０６は、第３レンズａ群枠３０２ａと第３レンズベース３０３との間に架けられる。
【００４８】
第３レンズベース３０３は、ＩＳコイル３０７とＩＳボール３０８を備え、３群カバー３０４とスナップフィットの形式で締結される。３群カバー３０４には、第３レンズＦＰＣ３０９が固定される。第３レンズＦＰＣ３０９には、ＩＳマグネット３１０に対向する位置において、ＩＳセンサ（不図示）が固定される。ＩＳセンサは、３群カバー３０４の切り欠き部３０４ａに挿入される。
【００４９】
第３レンズａ群枠３０２ａは、ＩＳばね３０６とＩＳボール３０８の作用により第３レンズベース３０３に対して光軸と垂直な面内で移動可能に保持されている。また、第３レンズａ群枠３０２ａは、ＩＳコイル３０７とＩＳマグネット３１０の作用により発生する駆動力により任意の位置へ移動し、ＩＳセンサにより位置制御される。
【００５０】
絞りシャッター装置３０５は、第３レンズａ群３０１ａと第３レンズｂ群３０１ｂとの間でシャッター羽根と絞り羽根によって光量を調節する。
【００５１】
第３レンズＦＰＣ３０９には、ＩＳセンサの信号線、ＩＳコイル３０７への電力供給線、絞りシャッター装置３０５への電力供給線などの配線パターンが形成されている。
【００５２】
第３レンズベース３０３の外周面には、径方向外側に突出するとともに、外周方向において等角度の間隔で形成されたカムピン３０３ａと、第３レンズ群３００を回転規制する直進キー３０３ｂが形成されている。また、第３レンズベース３０３の外周面には、後述するインナー直進筒６１０を直進規制する直進キー３０３ｃが形成されている。
【００５３】
図７、８を参照して、第４レンズ群４００について説明を行う。図７は第４レンズ群４００の分解斜視図であり、図８は第４レンズベース（第２の筒部材）４０３とアウターカムリング７００の配置図である。
【００５４】
第４レンズ群４００は、第４レンズ４０１、第４レンズ４０１を保持する第４レンズ枠（退避レンズ保持部材）４０２、第４レンズベース４０３、トーションバネ４０４、揺動軸４０５、４群ベースカバー４０６、可動ピン４０７および圧縮バネ４０８を有する。
【００５５】
第４レンズベース４０３は、揺動軸４０５が圧入され、揺動軸４０５により第４レンズ枠４０２を遥動可能に軸支する。トーションバネ４０４は、第４レンズ枠４０２を第４レンズ４０１が光軸上に配置される方向に付勢する。４群ベースカバー４０６は、揺動軸４０５が圧入され、第４レンズベース４０３に締結される。
【００５６】
可動ピン４０７は第４レンズベース４０３に対し、放射方向に移動可能にスナップフィットの形式で保持され、圧縮バネ４０８は第４レンズベース４０３と可動ピン４０７の間で保持されるため、可動ピン４０７は径方向の付勢力を有する。
【００５７】
第４レンズベース４０３の外周面には、第４レンズベース４０３の径方向外側に突出する固定ピン４０３ａａ、４０３ａｂと、第４レンズ群４００を回転規制する直進キー４０３ｂが形成されている。図８に示されるように、固定ピン４０３ａａ、４０３ａｂおよび可動ピン４０７は、外周方向において等角度の間隔で形成されている。圧縮バネ４０８の付勢力により、可動ピン４０７は後述するアウターカムリング７００のカム溝７００ｂに当接する。一方、固定ピン４０３ａａ、４０３ａｂも圧縮バネ４０８の付勢力により、各々のカム溝７００ｂに当接する。以上の構成により、第４レンズベース４０３はアウターカムリング７００に対して、隙間なく保持される。
【００５８】
図９を参照して、第４レンズ枠４０２と第４レンズベース４０３の関係について説明する。図９は第４レンズ群４００の斜視図である。図９（ａ）は第４レンズ４０１が撮影光軸上に配置される撮影状態を示し、図９（ｂ）は第４レンズ４０１が撮影光軸上から外れた位置に退避する退避状態を示している。
【００５９】
第４レンズベース４０３には、光軸方向に突出する突出部４０３ｃが形成されている。トーションバネ４０４の第１端４０４ａは第４レンズベース４０３に形成された係合部４０３ｄに係合し、第２端４０４ｂは第４レンズ枠４０２に形成された係合部４０２ｂに係合する。
【００６０】
第４レンズ４０１が光軸上に位置するとき、第４レンズ枠４０２に形成された当接部４０２ｃは、トーションバネ４０４の付勢力によって第４レンズベース４０３の突出部４０３ｃに当接する。第４レンズ枠４０２には退避カム４０２ａが形成され、後述する第５レンズベース５０３のツノ部５０３ｃによって沈胴時に光軸から退避する。
【００６１】
第４レンズ枠４０２が撮影状態と退避状態との間を遷移する際には、揺動軸４０５を回転中心にして、第４レンズ枠４０２の外周に形成された突出部４０２ｅが第４レンズベース４０３に形成された摺動部４０３ｄの上を摺動する。
【００６２】
また、第４レンズ枠４０２には、規制部４０２ｆが形成されている。撮影状態において、突出部４０２ｅと規制部４０２ｆにより、第４レンズベース４０３を挟み込むことでレンズ鏡筒に落下衝撃などの外力が加わった場合に、第４レンズ枠４０２の暴れを規制する。また、退避状態において、規制部４０２ｆで暴れを規制することができない代わりに、４群ベースカバー４０６の規制部４０６ａにより、第４レンズ枠４０２の延出部４０２ｄの動作を規制する。
【００６３】
図１０、１１を参照して、第５レンズ群５００について説明を行う。図１０は第５レンズ群５００の斜視図であり、図１１は第５レンズベース５０３とドライブリング８０１の配置図である。
【００６４】
第５レンズ群５００は、第５レンズ５０１、第５レンズ枠５０２、第５レンズベース５０３、ＡＦモータ５０４、フォトインタラプタ５０５、第５レンズＦＰＣ５０６、ラック５０７を備えている。また、第５レンズ群５００は、ラック５０７に組みつけられるラックバネ５０８、第５レンズベース５０３に保持されるガイドバー５０９ａ、５０９ｂ、スクリュー５１０、フランジ５１１、可動ピン５１２、圧縮バネ５１３を備えている。
【００６５】
第５レンズ枠５０２は、第５レンズ５０１を保持しており、スリーブ部５０２ａが形成されている。スリーブ部５０２ａの両端には、ガイドバー５０９ａと係合するスリーブ穴５０２ｂ、５０２ｃが形成されている。また、第５レンズ枠５０２には、ガイドバー５０９ｂと係合するＵ溝５０２ｄが形成されている。第５レンズベース５０３は、ガイドバー５０９ａ、５０９ｂを介して、第５レンズ枠５０２を摺動可能に保持する。
【００６６】
可動ピン５１２は第５レンズベース５０３の径方向に移動可能にスナップフィットの形式で保持され、圧縮バネ５１３は第５レンズベース５０３と可動ピン５１２の間で保持される。そのため、可動ピン５１２は、圧縮ばね５１３によって、第５レンズベース５０３の径方向に付勢される。
【００６７】
第５レンズベース５０３の外周面には、径方向外側に突出する固定ピン５０３ａａ、５０３ａｂと、第５レンズ群５００を回転規制する直進キー５０３ｂが形成されている。図１１に示されるように、固定ピン５０３ａａ、５０３ａｂ、可動ピン５１２は、外周方向において等角度の間隔で形成されている。圧縮バネ５１３の付勢力により、可動ピン５１２はドライブリング８０１のカム溝８０１ａに当接する。一方、固定ピン５０３ａａ、５０３ａｂも圧縮バネ５１３の付勢力により、各々のカム溝８０１ａに当接する。以上の構成により、第５レンズベース５０３はドライブリング８０１に対して、隙間なく保持される。
【００６８】
また、第５レンズベース５０３には、光軸方向被写体側に向けて突出したツノ部５０３ｃが形成されている。ツノ部５０３ｃは、沈胴状態において、第４レンズ枠４０２の退避カム４０２ａに当接し、第４レンズ枠４０２を光軸から退避させる。
【００６９】
ＡＦモータ５０４には、光軸と略平行するように配置されるスクリュー５１０とフランジ５１１が備えられている。ＡＦモータ５０４は、フランジ５１１を介して、第５レンズベース５０３に固定される。スクリュー５１０には、ラックバネ５０８により付勢されたラック５０７が噛み合う。フランジ５１１にはスクリュー５１０を避けるフランジ穴部５１１ａが形成される。ＡＦモータ５０４の作動により、スクリュー５１０が回転すると、ラック５０７と第５レンズ枠５０２が一体的に光軸方向に移動する。
【００７０】
フォトインタラプタ５０５は、第５レンズベース５０３に対する第５レンズ枠５０２の光軸方向位置を、被検出部５０２ｅによる遮光の有無によって検知する。
【００７１】
第５レンズＦＰＣ５０６はＡＦモータ５０４とフォトインタラプタ５０５への電力供給を行う。
【００７２】
図１７を参照して、第４レンズ枠４０２の第５レンズベース５０３による退避動作について説明する。図１７は、第４レンズ枠４０２と第５レンズベース５０３の撮影状態から沈胴状態への移行の様子を示した図である。
【００７３】
図１７（ａ）に示されるように、第５レンズベース５０３のツノ部５０３ｃは、第４レンズ枠４０２の退避動作を行う退避カム部５０３ｃａと、第４レンズ枠４０２を退避位置に保持する退避保持部５０３ｃｂから構成される。退避保持部５０３ｃｂは、光軸と平行に形成される。
【００７４】
撮影状態では、図１７（ａ）に示されるように、第４レンズ枠４０２の退避カム４０２ａと第５レンズベース５０３の退避カム部５０３ｃａは隙間を有している。第４レンズ枠４０２と第５レンズベース５０３が近接すると、図１７（ｂ）に示されるように、第４レンズ枠４０２の退避カム４０２ａと第５レンズベース５０３の退避カム部５０３ｃａが当接する。第４レンズ枠４０２と第５レンズベース５０３がさらに近接すると、カムの作用によって、第４レンズ枠４０２はトーションバネ４０４の付勢力に抗して揺動軸４０５を中心に回転する。その結果、図１７（ｃ）に示されるように、第４レンズ枠４０２は光軸から退避し、退避カム４０２ａと第５レンズベース５０３の退避保持部５０３ｃｂが当接する。第４レンズ枠４０２の退避カム４０２aと第５レンズベース５０３の退避保持部５０３ｃｂのかかり量を確保するために、第４レンズ枠４０２と第５レンズベース５０３がさらに近接し、図１７（ｄ）に示される状態となる。
【００７５】
一方、沈胴状態から撮影状態への移行は、上記と逆の順番で行われる。すなわち、図１７（ｄ）の沈胴状態から、第４レンズ枠４０２と第５レンズベース５０３が離れていき、図１７（ｃ）のように、退避カム４０２aが退避保持部５０３ｃｂの間を移動する。この区間においては、第４レンズ枠４０２は退避位置から撮影位置に移動しないため、トーションバネ４０４の付勢力は鏡筒の繰り出し方向に作用しない。第４レンズ枠４０２が第５レンズベース５０３からさらに離れていくと、第４レンズ枠４０２の退避カム４０２aと第５レンズベース５０３の退避カム部５０３ｃａが当接する。図１７（ｂ）に示されるように、トーションバネ４０４の付勢力により、４群レンズ枠の当接部４０２ｂが第４レンズベースの突出部４０３ｃに当接するまで、第４レンズ枠４０２が揺動軸４０５を中心に回転する。トーションバネ４０４の付勢力は、鏡筒の繰り出し方向に作用する。その後、第４レンズ枠４０２と第５レンズベース５０３がさらに離れていき、図１７（ａ）に示される撮影状態となる。
【００７６】
第１レンズ枠１０２の内側にはインナーカムリング６００が配置され、インナーカムリング６００の内側にはインナー直進筒６１０が配置されている。インナーカムリング６００とインナー直進筒６１０は、互いに回転自在かつ直進方向に一体的に移動する。
【００７７】
インナーカムリング６００の外周には、１群カム溝６００ａが形成されている。第１レンズ枠１０２のカムピン１０２ａが１群カム溝６００ａを摺動することで、第１レンズ群１００は光軸方向に駆動する。また、インナーカムリング６００の外周には、径方向外側に突出するとともに、外周方向において等角度の間隔で形成されたカムピン６００ｃと、アウターカムリング７００から回転力を伝達される回転伝達キー６００ｄが形成されている。インナーカムリング６００の内周には、２群カム溝６００ｂが形成されている。インナー直進筒６１０の内側に配置される第２レンズ枠２０２のカムピン２０２ａが２群カム溝６００ｂを摺動することで、第２レンズ群２００が光軸方向に駆動する。
【００７８】
インナー直進筒６１０の被写体側端部には、インナーカムリング６００よりも外周側へ延出するフランジ部が形成されている。フランジ部には、第１レンズ枠１０２に形成された直進案内溝を摺動することで、第１レンズ群１００を直進案内する直進キー６１０ａが形成されている。インナー直進筒６１０の筒部には、第２レンズ枠２０２の直進キー２０２ｂが摺動することで、第２レンズ群２００を直進案内する切り欠き溝６１０ｂが形成されている。インナー直進筒６１０の内周面には、直進溝６１０ｃが形成されている。第３レンズベース３０３の直進キー３０３ｃが直進溝６１０ｃに嵌合し、インナー直進筒６１０を直進規制する。
【００７９】
第１レンズ枠１０２の外側に配置されているインナーカムリングカバー６２０は、インナーカムリング６００の外周に形成された１群カム溝６００ａが外観に露出しないようにカバーする。インナーカムリング６００とインナーカムリングカバー６２０は、３か所のスナップフィット６２０ａで締結され、一体的に移動する。
【００８０】
インナーカムリングカバー６２０の外側にはアウター直進筒７１０が配置され、アウター直進筒７１０の外側にはアウターカムリング７００が配置される。アウター直進筒７１０とアウターカムリング７００は、互いに回転自在でかつ直進方向は一体的に移動する。
【００８１】
アウター直進筒７１０の内周には、カム溝７１０ａが形成されている。インナーカムリング６００のカムピン６００ｃがカム溝７１０ａを摺動することで、インナーカムリング６００を光軸方向に駆動する。アウター直進筒７１０にはカム溝７１０ａとは別の位置にカム溝７１０ａと同一軌跡の貫通溝７１０ｂが形成されており、インナーカムリング６００の回転伝達キー６００ｄが貫通溝７１０ｂを挿通する。また、アウター直進筒７１０には、３群レンズ３０１および４群レンズ４０１の直進ガイドのための切り欠き溝７１０ｃが形成されている。第３レンズベース３０３の直進キー３０３ｃおよび第４レンズベース４０３の直進キー４０３ｂが切り欠き溝７１０ｃを摺動することで、３群レンズ３０１および４群レンズ４０１が直進ガイドされる。アウター直進筒７１０の結像面側端部にはアウターカムリング７００よりも外周側へ延出するフランジ部が形成されており、フランジ部には外周方向へ突出する直進キー７１０ｄが形成されている。
【００８２】
アウターカムリング７００の内周面には、３群カム溝７００ａと４群カム溝７００ｂが形成されている。第３レンズベース３０３のカムピン３０３ａが３群カム溝７００ａを摺動することで、３群レンズ３０１が光軸方向に駆動し、第４レンズベース４０３のカムピンが４群カム溝７００ｂを摺動することで、４群レンズ４０１が光軸方向に駆動する。また、アウターカムリング７００の内周面には、インナーカムリング６００に回転を伝達する回転伝達溝７００ｃが形成されている。インナーカムリング６００の回転伝達キー６００ｄが回転伝達溝７００を摺動することで、アウターカムリング７００の回転がインナーカムリング６００に伝達する。
【００８３】
アウターカムリング７００の外周面には、径方向外側に突出するとともに、外周方向において等角度の間隔で設けられたカムピン７００ｄと、ドライブリング８０１から回転力を伝達される回転伝達キー７００ｅが形成されている。
【００８４】
アウターカムリング７００の外側には固定筒８００が配置され、固定筒８００の外側にはドライブリング８０１が配置される。ドライブリング８０１の外側には、カバー筒８０２が配置される。固定筒８００とカバー筒８０２は、撮像素子９０４を保持するセンサホルダ９００に締結される。ドライブリング８０１は、回転自在かつ直進方向の移動を規制されて保持される。
【００８５】
固定筒８００の内周面には、カム溝８００ａが形成されている。アウターカムリング７００のカムピン７００ｄがカム溝８００ａを摺動することで、アウターカムリング７００が光軸方向に駆動する。固定筒８００にはカム溝８００ａとは別の位置にカム溝８００ａと同一軌跡の貫通溝８００ｂが形成されており、アウターカムリング７００の回転伝達キー７００ｅが貫通溝８００ｂを挿通する。また、固定筒８００には、アウター直進筒７１０の直進ガイドのための切り欠き溝８００ｃが形成されている。アウター直進筒７１０の直進キー７１０ｄが切り欠き溝８００ｃに嵌合することで、固定筒８００は直進ガイドされる。アウター直進筒７１０の直進キー７１０ｄと固定筒８００の直進溝８００ｃは、複数形成されている。カム溝８００ａおよび貫通溝８００ｂにより直進溝８００ｃが形成できない領域を互いに補い、固定筒８００を沈胴位置から繰出し端まで直進ガイドし続ける。また、固定筒８００には、第５レンズ５０１を直進ガイドする切り欠き溝８００ｄが形成されている。第５レンズベース５０３の直進キー５０３ｂが切り欠き溝８００ｄを摺動することで、第５レンズ５０１が直進ガイドされる。また、固定筒８００の側面には、第３レンズＦＰＣ３０９および第５レンズＦＰＣ５０６を鏡筒の外部に排出するための開口８００ｅが形成されている。
【００８６】
ドライブリング８０１の内周面には、５群カム溝８０１ａが形成されている。第５レンズベース５０３のカムピン５０３ａが５群カム溝８０１ａを摺動することで、第５レンズ５０１が光軸方向に駆動する。また、ドライブリング８０１の内周面には、アウターカムリング７００に回転を伝達する回転伝達溝８０１ｂが形成されている。アウターカムリング７００の回転伝達キー７００ｅが回転伝達溝８０１ｂを摺動することで、ドライブリング８０１の回転をアウターカムリング７００に伝達する。
【００８７】
ドライブリング８０１の外周面には、ギア部８０１ｃが形成されている。ギア部８０１ｃは、ギア列９０１を介してズームモータ９０２に接続される。ズームモータ９０２への通電によってドライブリング８０１が回転し、ドライブリング８０１の回転がアウターカムリング７００およびインナーカムリング６００に伝達され、第１から第５レンズ群が各カム溝の軌跡にしたがって光軸方向に移動する。
【００８８】
図１２を参照して、レンズ鏡筒のメカリセット（頭出し）について説明を行う。図１２（ａ）は沈胴状態を示し、図１２（ｂ）はドライブリング８０１のメカリセット位置を示す。
【００８９】
ドライブリング８０１の外周には、フランジ形状の被検出部８０１ｄが形成されている。図１２（ａ）に示される沈胴状態では、カバー筒８０２に保持される位置検出センサ（位置検出部材）８０３により、ドライブリング８０１の被検出部８０１ｄが検出される。一方、ドライブリング８０１が所定量回転すると、図１２（ｂ）に示されるように、位置検出センサ８０３により被検出部８０１ｄが検出されない状態となる。このように、被検出部８０１ｄの検出状態から非検出状態に移行することにより、ドライブリング８０１の回転位置を検出し、レンズ鏡筒のメカリセットを行う。
【００９０】
レンズ鏡筒のズーム機構について、図１および図１３を参照して説明する。センサホルダ９００は、ギアカバー９０１、ズームモータ９０２、ウォームギア９０３、撮像素子９０４、回転量検出センサ９０５、ギア列９１０を備える。
【００９１】
ギア列９１０は、ズームモータ９０２の出力軸に圧入されるウォームギア９０３と、ドライブリング８０１を接続し、ズームモータ９０２の出力をドライブリング８０１に伝達する。ギアカバー９０１は、センサホルダ９００に固定され、センサホルダ９００とともにギア列９１０の各ギアを回動自在に保持する。ウォームギア９０３は、遮光部材で形成されており、円周方向に等間隔に形成された被検出部９０３ａが形成されている。回転量検出センサ９０５は、ギアカバー９０１に保持され、ウォームギア９０３の被検出部９０３ａの有無を検出することにより、ズームモータ９０２の回転量を検出可能である。
【００９２】
次に、沈胴状態と撮影状態の間の繰出しと繰込みについて、図１４から図１６を参照して説明する。
【００９３】
図１４（ａ）は光軸と第４レンズ４０１の中心を通る沈胴状態のレンズ鏡筒の断面図、図１４（ｂ）は光軸とＡＦモータ５０４の中心を通る沈胴状態のレンズ鏡筒の断面図である。図１５は、撮影状態のレンズ鏡筒の断面図である。
【００９４】
図１４（ａ）に示されるレンズ鏡筒の沈胴状態において、第１レンズ群１００から第３レンズ群３００および第５レンズ群５００は光軸上に並んで、各レンズ群の間隔を狭めた状態に位置する。第４レンズ群４００は、光軸から退避し、第３レンズ群３００に隣接する。
【００９５】
このとき、バリア駆動リング１０３のフォロアアーム１０３ａは、インナーカムリング６００の作動壁６００ｅに当接している。また、第５レンズベース５０３のツノ部５０３ｃが第４レンズ枠４０２の退避カム４０２ａに当接し、第４レンズ枠４０２は光軸から退避している。
【００９６】
カメラの電源を投入すると、沈胴状態から繰り出して撮影状態に移行する。ズームモータ９０２を繰り出し方向に回転させることで、ギア列９１０を介してドライブリング８０１が回転する。ドライブリング８０１の回転は前述した各回転伝達キー溝を通じて、アウターカムリング７００、インナーカムリング６００に伝達される。アウターカムリング７００は、固定筒８００のカム溝８００ａの軌跡にしたがって光軸方向に移動する。インナーカムリング６００は、アウター直進筒７１０のカム溝７１０ａの軌跡にしたがって、アウター直進筒７１０およびアウターカムリング７００に対して光軸方向に移動する。第１レンズ群１００および第２レンズ群２００は、各カム溝の軌跡にしたがって、インナーカムリング６００に対して光軸方向に移動する。第３レンズ群３００および第４レンズ群４００は、各カム溝の軌跡にしたがって、アウターカムリング７００に対して光軸方向に移動する。第５レンズ群５００の第５レンズベース５０３は、カム溝８０１ａの軌跡にしたがって、ドライブリング８０１に対して光軸方向に移動する。
【００９７】
図１６は、本実施例の駆動タイミングを示す図である。図１６の横軸は、タイミングを示し、レンズ鏡筒はＴ０のとき沈胴状態であり、Ｔ４のとき撮影状態である。縦軸は、各部材のカム軌跡、および、バリア羽根と退避レンズの状態を示す。各部材のカム軌跡において、図の上向きが光軸方向繰り出し側を示す。
【００９８】
Ｔ０からインナーカムリング６００が回転すると、付勢部材１０７の付勢力にしたがってバリア駆動リング１０３の回転が行われる。また、第１レンズ群１００がインナーカムリング６００よりも多く繰出されることで、バリア駆動リング１０３のフォロアアーム１０３ａとインナーカムリング６００の作動壁６００ｅの当接状態が解除される。
【００９９】
その後、Ｔ２において、バリア駆動リング１０３の回転が停止し、バリア羽根の開放動作が終了する。バリア羽根の開放動作が終了したＴ２以降は、バリア駆動リング１０３および第１のバリア羽根１０４の移動は行われないため、付勢部材１０７の付勢力は鏡筒の繰り出し方向に作用しない。
【０１００】
一方、Ｔ０からＴ１にかけて、第３レンズ群が第４レンズ群よりも多く繰出されるようにカム溝が設定される。第３レンズ群の第３レンズ枠３０２の最後部が第４レンズ群の第４レンズ枠４０２最前部よりも繰出して、第４レンズが光軸上に並ぶためのスペースが確保される。また、第５レンズベース５０３は、第４レンズ群４００と同じだけ繰り出される。
【０１０１】
次に、Ｔ１からＴ４にかけて、第４レンズ群４００が第５レンズベース５０３より多く繰り出されることで、第４レンズ枠４０２が第５レンズベース５０３から次第に離間する。
【０１０２】
Ｔ１からＴ２の区間において、図１７（ｄ）から図１７（ｃ）の状態に移行する。すなわち、４群レンズ枠４０２の退避カム４０２ａが第５レンズベース５０３の退避保持部５０３ｃｂの間を移動する。
【０１０３】
Ｔ２からＴ３の区間において、図１７（ｃ）から図１７（ｂ）の状態に移行する。すなわち、第４レンズ枠４０２がトーションバネ４０４の付勢力に従い、揺動軸４０５を中心に揺動し、退避位置から撮影位置へと移動する。
【０１０４】
Ｔ３からＴ４の区間において、図１７（ｂ）から図１７（ａ）の状態に移行する。すなわち、第４レンズ枠４０２が第５レンズベース５０３から離間する。
【０１０５】
Ｔ０からＴ２にかけて、また、Ｔ３からＴ４にかけて、４群レンズ枠４０２の揺動動作は行われないため、トーションバネ４０４の付勢力は鏡筒の繰り出し方向に作用しない。
【０１０６】
Ｔ３からＴ４の期間において、位置検出センサ８０３により、ズーム駆動のメカリセット動作Ｒ１が実施される。次に、回転量検出センサ９０５でウォームギア９０３の回転量の検出をしながらズームモータ９０２を駆動し、所定の回転量だけズームモータ９０２を駆動した後、レンズ鏡筒が撮影状態となる。
【０１０７】
ズームポジションが撮影状態に到達した後、第５レンズ枠５０２の繰り出し動作が行われる。初期状態では、図１１に示されるように、フォトインタラプタ５０５が第５レンズ枠５０２の被検出部５０２ｅを検出している。その状態からＡＦモータ５０４が駆動し、第５レンズ枠５０２を第５レンズベース５０３に対して所定の位置まで光軸方向に繰り出す。そうすることで、被検出部５０２ｅが第５レンズベース５０３に保持されるフォトインタラプタ５０５から離間し、第５レンズ枠５０２のメカリセットが行われる。第５レンズ枠５０２のメカリセットが行われた後に、さらに第５レンズ枠５０２を所定量繰り出し、所望のレンズ位置へと移動させる。
【０１０８】
次に、撮影状態から沈胴状態への移行について説明する。
【０１０９】
ＡＦモータ５０４によって、第５レンズ枠５０２を第５レンズベース５０３に対して繰り込み方向に移動する。撮影状態では第５レンズ枠５０２の被検出部５０２ｅがフォトインタラプタ５０５から離間しているが、第５レンズ枠５０２の繰り込み動作により、被検出部５０２ｅがフォトインタラプタ５０５により検出される。第５レンズ枠５０２の検出後、さらに所定量繰り込むことで第５レンズ枠５０２が沈胴位置に移動する。
【０１１０】
第５レンズ枠５０２の繰り込み後、ズームモータ９０２を繰込み方向に駆動する。
【０１１１】
Ｔ４からＴ３の期間では、ズームモータ９０２の駆動により、第４レンズ枠４０２と第５レンズベース５０３は近接し、図１７（ａ）の状態から図１７（ｂ）の状態に移行する。
【０１１２】
Ｔ３からＴ２の期間では、第４レンズ枠４０２と第５レンズベース５０３がさらに近接し、図１７（ｂ）の状態から図１７（ｃ）の状態に移行する。すなわち、トーションバネ４０４の付勢力に抗して第４レンズ枠４０２を回転させ、退避位置に移動させる。
【０１１３】
Ｔ２からＴ１の期間では、第４レンズ枠４０２と第５レンズベース５０３がさらに近接し、図１７（ｃ）の状態から図１７（ｄ）の状態に移行する。ただし、この期間では、退避位置を維持するため、トーションバネ４０４の付勢力に抗する力は発生しない。
【０１１４】
Ｔ１からＴ０の期間において、第４レンズ枠４０２と第５レンズベース５０３は同じだけ繰り込み方向に移動する。また、Ｔ１からＴ０の区間において、第３レンズ群３００は第４レンズ群４００よりも多く繰り込むことで、図１４（ａ）に示されるように、第３レンズ枠３０２と第４レンズ枠４０２が隣接する。
【０１１５】
一方、Ｔ４からＴ２の期間において、バリア駆動リング１０３とインナーカムリング６００は離間しており、バリア羽根の開放状態が維持される。
【０１１６】
Ｔ２からＴ０の期間において、バリア駆動リング１０３のフォロアアーム１０３ａとインナーカムリング６００の作動壁６００ｅが当接し、インナーカムリング６００のさらなる回転により、付勢部材１０７の付勢力に抗してバリア駆動リング１０３を回転させる。バリア駆動リング１０３の回転により、バリア羽根１０４〜１０６を開放位置から閉鎖位置へと移行させ、Ｔ０のときレンズ鏡筒は沈胴状態となる。
【０１１７】
以上のように、本実施例ではバリア機構およびレンズ退避機構がともに鏡筒の繰り出し方向に付勢されている。これらの付勢力が鏡筒の繰り出し方向に作用しないＴ３からＴ４の期間において、ズーム駆動のメカリセット動作が実施される。この期間ではズームモータの回転力以外の繰り出し力が作用していないため、高い精度のメカリセットが行われる。その結果、精度の高い繰り出し機構を実現することができる。
【０１１８】
また、Ｔ３からＴ２の期間でトーションバネ４０４の付勢力に抗して第４レンズ枠４０２を回転させ、Ｔ２からＴ０の期間で付勢部材１０７の付勢力に抗してバリア駆動リング１０３を回転させる。このように、繰り込み時の負荷を分散させることで、ズームモータの消費電流を抑えることができ、出力の高いモータを使用する必要がなくなり、小型のレンズ鏡筒を実現することができる。
【０１１９】
さらに、本実施例では、バリア羽根の開放動作が完了するＴ２よりも前のＴ１から第５レンズベース５０３に対して、第４レンズ群４００を相対的に繰り出し始めている。このように、両者の作動区間をオーバーラップさせることで、メカリセット動作Ｒ１を早くすることを可能としている。また、繰り込み時において、Ｔ２からＴ１の区間では、トーションバネ４０４の付勢力が一定に保たれるため、繰り込み時の負荷の増加を防ぐことを可能としている。
【実施例２】
【０１２０】
次に、第２の実施例について、図１８および図１９を参照して説明する。本実施例では、第１の実施例と異なる点を説明し、実施例１と同一の部材については同一の参照番号を付し、重複する説明は省略する。
【０１２１】
図１８は、本実施例のバリア駆動リング１０３とインナー直進筒１６００の配置図である。また、
インナー直進筒１６００には、バリア駆動リング１０３のフォロアアーム１０３ａが当接し、バリア駆動リング１０３を閉鎖方向に回転させる作動壁１６００ｄと、バリア駆動リング１０３を閉鎖位置に安定して保持させる閉鎖保持部１６００ｅを備える。閉鎖保持部１６００ｅは、光軸と平行に形成される。
【０１２２】
図１８（ａ）に示される撮影状態では、フォロアアーム１０３ａは、インナー直進筒１６００から離間している。撮影状態から沈胴状態へ移行する過程で、第１レンズ群１００がインナー直進筒１６００よりも多く繰り込むことで、フォロアアーム１０３ａが作動壁１６００ｄに当接する。インナー直進筒１６００は回転移動を規制されているため、第１レンズ群１００のさらなる繰り込み動作により、作動壁１６００ｄの斜面にしたがい、バリア駆動リング１０３が付勢部材１０７の付勢力に抗して強制的にＡ方向に回転させられる。バリア駆動リング１０３のＡ方向の回転にしたがい、バリア羽根の閉鎖動作が行われる。図１８（ｂ）に示されるバリア羽根の閉塞状態から第１レンズ群１００のさらなる繰り込みにより、図１８（ｃ）に示されるレンズ鏡筒の沈胴状態となる。その際、フォロアアーム１０３ａは、閉鎖保持部１６００ｅに沿って光軸方向に移動する。
【０１２３】
一方、繰り出しの際には、第１レンズ群１００がインナー直進筒１６００よりも多く繰り出されることで、フォロアアーム１０３ａが閉鎖保持部１６００ｅに沿って光軸方向に移動する。その後、付勢部材１０７の付勢力にしたがってバリア駆動リング１０３がＢ方向に回転させられる。バリア駆動リング１０３のＢ方向の回転にしたがい、バリア羽根の開放動作が行われる。
【０１２４】
図１９は、本実施例の駆動タイミングを示す図である。
【０１２５】
図１９に示されるように、Ｔ２０からＴ２１まで、第３レンズ群３００が第４レンズ群４００より多く繰り出されることで、第４レンズ４０１が光軸上に並ぶためのスペースが確保される。また、第４レンズ群４００が第５レンズベース５０３より多く繰り出されることで、図１７（ｄ）の状態から図１７（ｃ）の状態に移行する。すなわち、第４レンズ枠４０２の退避カム４０２ａが第５レンズベース５０３の退避保持部５０３ｃｂの間を移動する。この期間において、第４レンズ枠４０２の揺動が行われないため、トーションバネ４０４の付勢力は鏡筒の繰り出し方向に作用しない。
【０１２６】
Ｔ２１からＴ２２にかけて、第４レンズ群４００が第５レンズベース５０３より多く繰り出されることで図１７（ｃ）の状態から図１７（ｂ）の状態に移行し、第４レンズ枠４０２が退避位置から撮影位置へと移動する。
【０１２７】
Ｔ２２からＴ２５にかけて、第４レンズ群４００が第５レンズベース５０３よりさらに多く繰り出されることで、第４レンズ枠４０２が第５レンズベース５０３から離間し、図１７（ｂ）から図１７（ａ）の状態へと移行する。この期間において、第４レンズ枠４０２の揺動が行われないため、トーションバネ４０４の付勢力は鏡筒の繰り出し方向に作用しない。
【０１２８】
また、Ｔ２０からＴ２２にかけて、第１レンズ群１００とインナー直進筒１６００は同じだけ繰り出される。バリア駆動リング１０３とインナー直進筒１６００の相対位置が変わらないため、バリア羽根は閉鎖状態を保つ。
【０１２９】
その後、Ｔ２２からＴ２３にかけて、第１レンズ群１００はインナー直進筒１６００よりも多く繰り出されることで、図１８（ｃ）の状態から図１８（ｂ）の状態に移行する。すなわち、フォロアアーム１０３ａが閉鎖保持部１６００ｅに沿って光軸方向に移動する。閉鎖保持部１６００ｅは光軸と平行に形成されているため、バリア駆動リング１０３の回転動作は行われず、バリア羽根は閉鎖状態を保つ。
【０１３０】
Ｔ２０からＴ２３にかけて、バリア駆動リング１０３の回転動作は行われないため、付勢部材１０７の付勢力は鏡筒の繰り出し方向に作用しない。
【０１３１】
Ｔ２３からＴ２４にかけて、第１レンズ群１００はインナー直進筒１６００よりも多く繰り出される。バリア駆動リング１０３がインナー直進筒１６００から離間することで、付勢部材１０７の付勢力により、バリア駆動リング１０３が回転し、バリア羽根が開放状態となる。
【０１３２】
Ｔ２４からＴ２５にかけて、各レンズ群がさらに繰り出されることにより、図１８（ａ）に示されるＴ２５へと移行する。Ｔ２４からＴ２５にかけて、バリア駆動リング１０３の回転動作は行われないため、付勢部材１０７の付勢力は鏡筒の繰り出し方向に作用しない。
【０１３３】
一方、繰り込み動作は以下のように進行する。Ｔ２５からＴ２４にかけて、各レンズ群が繰り込まれる。Ｔ２４において、バリア駆動リング１０３のフォロアアーム１０３ａがインナー直進筒１６００の作動壁１６００ｄに当接する。
【０１３４】
Ｔ２４からＴ２３にかけて、第１レンズ群１００がインナー直進筒１６００よりも多く繰り込まれることで、バリア駆動リング１０３が付勢部材１０７の付勢力に抗して回転し、図１８（ｂ）に示されるバリアの閉鎖状態となる。
【０１３５】
Ｔ２３からＴ２２にかけて、第１レンズ群１００がインナー直進筒１６００よりも多く繰り込まれることで、バリア駆動リング１０３のフォロアアーム１０３ａが閉鎖保持部１６００ｅに沿って光軸方向に移動し、図１８（ｃ）に示される状態となる。
【０１３６】
また、Ｔ２５からＴ２２にかけて、第４レンズ群４００が第５レンズベース５０３より多く繰り込まれることで、図１７（ａ）の状態から図１７（ｂ）の状態に移行する。このとき、第４レンズ枠４０２の退避カム４０２ａと第５レンズベース５０３の退避カム部５０３ｃａが当接する。
【０１３７】
Ｔ２２からＴ２１にかけて、第４レンズ群４００が第５レンズベース５０３より多く繰り込まれることで、図１７（ｂ）の状態から図１７（ｃ）の状態に移行し、トーションバネ４０４の付勢力に抗して第４レンズ枠４０２が揺動する。これにより、第４レンズ枠４０２が撮影位置から退避位置へと移動する。
【０１３８】
Ｔ２１からＴ２０にかけて、第４レンズ群４００が第５レンズベース５０３よりさらに多く繰り込まれることで、図１７（ｃ）の状態から図１７（ｄ）の状態に移行する。このとき、第４レンズ枠４０２の退避カム４０２ａが第５レンズベース５０３の退避保持部５０３ｃｂを移動することで沈胴状態となる。
【０１３９】
本実施例においても、実施例１と同様に、バリア機構およびレンズ退避機構がともに鏡筒の繰り出し方向に付勢されている。これらの付勢力が鏡筒の繰り出し方向に作用しないＴ２０からＴ２１の期間（Ｒ２１）、Ｔ２２からＴ２３の期間（Ｒ２２）、Ｔ２４からＴ２５の期間（Ｒ２３）のいずれかにおいて、ズーム駆動のメカリセット動作が実施されることが望ましい。これらの位置では鏡筒にズームモータの力以外の繰り出し力が作用していないため、高い精度のメカリセットを実現できる。その結果、精度の高い繰り出し機構を実現することができる。本実施例では、ズーム駆動のメカリセット動作をＲ２２で設定するために、Ｔ２２からＴ２３までの区間を形成している。ズーム駆動のメカリセット動作をＲ２２で実施しない場合には、この期間は必ずしも必要ではない。例えば、Ｔ２２を待たずに、第１レンズ群１００のインナー直進筒１６００に対する相対移動を開始してもよい。その場合、繰り込み時の負荷の増加を避けるため、Ｔ２０からＴ２２までの間には図１８（ｃ）から図１８（ｂ）に示されるフォロアアーム１０３ａの閉鎖保持部１６００ｅの間の移動とすることが望ましい。
【０１４０】
また、Ｔ２４からＴ２３の期間で付勢部材１０７の付勢力に抗してバリア駆動リング１０３を回転させ、Ｔ２２からＴ２１の期間でトーションバネ４０４の付勢力に抗して第４レンズ枠４０２を回転させる。このように、繰り込み時の負荷を分散させることで、ズームモータの消費電流を抑えることができ、出力の高いモータを使用する必要がなくなり、小型のレンズ鏡筒を実現することができる。
【０１４１】
また、本実施例では、沈胴状態から退避レンズの動作を行った後に、バリア羽根の開放動作を行っているが、作動順序はこの限りではない。例えば、沈胴状態から第１レンズ群をインナー直進筒に対して繰り出し、バリア羽根の開放動作を行った後で、第４レンズ群４００を第５レンズベース５０３に対して繰り出し、退避レンズの撮影位置への移動動作を行っても良い。
【０１４２】
以上、本発明の好ましい実施形態について説明したが、本発明はこれらの実施形態に限定されず、その要旨の範囲内で種々の変形及び変更が可能である。
【符号の説明】
【０１４３】
１０２  第１レンズ枠（第１の筒部材）
１０４  第１のバリア羽根（羽根部材）
１０５  第２のバリア羽根（羽根部材）
１０６  第３のバリア羽根（羽根部材）
４０２  第４レンズ枠（退避レンズ保持部材）
４０３  第４レンズベース（第２の筒部材）
８０３  位置検出センサ（位置検出部材）
【図１】
2015141362.tif 000003
【図２】
2015141362.tif 000004
【図３】
2015141362.tif 000005
【図４】
2015141362.tif 000006
【図５】
2015141362.tif 000007
【図６】
2015141362.tif 000008
【図７】
2015141362.tif 000009
【図８】
2015141362.tif 000010
【図９】
2015141362.tif 000011
【図１０】
2015141362.tif 000012
【図１１】
2015141362.tif 000013
【図１２】
2015141362.tif 000014
【図１３】
2015141362.tif 000015
【図１４】
2015141362.tif 000016
【図１５】
2015141362.tif 000017
【図１６】
2015141362.tif 000018
【図１７】
2015141362.tif 000019
【図１８】
2015141362.tif 000020
【図１９】
2015141362.tif 000021